(57)【要約】【課題】ＵＶ光および青色光のいずれかまたは両方がレンズ着用者の瞳孔に入るのを実質的に遮断するコンタクトレンズを提供すること。【解決手段】本発明は、ＵＶ光および青色光の透過率を減少させるか、あるいは実質的に除去する所定の材料の複数の同心領域を提供することにより、ＵＶ光および青色光のいずれか、または両方がレンズ着用者の瞳孔に入るのを実質的に遮断するコンタクトレンズを提供する。本発明のレンズは、レンズ着用者の視覚を低下させることなく、光遮断を成し遂げる。【選択図】図１
2009543137.tif 000002
【特許請求の範囲】
【請求項１】
コンタクトレンズにおいて、
中心円形領域、ならびに前記中心円形領域の周りに位置する少なくとも第１および第２の同心リングを有する光学ゾーン、
を具備し、
前記中心円形領域および第２のリングは、ＵＶ光もしくは青色光、またはこの両方の透過を実質的に遮断することができる、レンズ。
【請求項２】
請求項１に記載のレンズにおいて、
第３、第４、第５、および第６の同心リング、
をさらに具備し、
前記第４および第６のリングは、ＵＶ光もしくは青色光、またはこの両方の透過を実質的に遮断することができる、レンズ。
【請求項３】
請求項１に記載のレンズにおいて、
前記中心円形領域は、前記レンズの幾何学中心に中心が合わせられており、約０．３〜約１ｍｍの直径を有する、レンズ。
【請求項４】
請求項２に記載のレンズにおいて、
前記中心円形領域は、前記レンズの幾何学中心に中心が合わせられており、約０．３〜約１ｍｍの直径を有する、レンズ。
【請求項５】
請求項１に記載のレンズにおいて、
前記リングのそれぞれの幅は、約０．１ｍｍ〜約０．２５ｍｍである、レンズ。
【請求項６】
請求項２に記載のレンズにおいて、
前記リングのそれぞれの幅は、約０．１ｍｍ〜約０．２５ｍｍである、レンズ。
【請求項７】
請求項３に記載のレンズにおいて、
前記リングのそれぞれの幅は、約０．１ｍｍ〜約０．２５ｍｍである、レンズ。
【請求項８】
請求項４に記載のレンズにおいて、
前記リングのそれぞれの幅は、約０．１ｍｍ〜約０．２５ｍｍである、レンズ。
【請求項９】
請求項１に記載のレンズにおいて、
前記中心円形領域、および前記光遮断リングは、中実の着色された領域を含んでいる、レンズ。
【請求項１０】
請求項１に記載のレンズにおいて、
前記中心円形領域およびリングは、不透明な点を含んでいる、レンズ。
【請求項１１】
請求項１０に記載のレンズにおいて、
前記点は、約０．１ｍｍの直径を有しており、約０．０２９ｍｍの間隔があけられている、レンズ。
【請求項１２】
光遮断コンタクトレンズを提供するための方法において、
中心円形領域、および前記中心円形領域の周りに位置する少なくとも第１および第２の同心リングを含む光学ゾーンを有するコンタクトレンズを提供するステップ、
を含み、
前記中心円形領域および第２のリングは、ＵＶ光もしくは青色光、またはその両方の透過を実質的に遮断することができる、方法。
【発明の詳細な説明】
【開示の内容】
【０００１】
〔発明の分野〕
本発明は、コンタクトレンズに関する。特に本発明は、紫外（「ＵＶ」）光および青色光の一方または両方をろ波する複数リングを備えたコンタクトレンズを提供する。
【０００２】
〔発明の背景〕
視力を矯正するために、眼鏡レンズおよびコンタクトレンズを使用することが、よく知られている。ＵＶ光への眼の曝露を減少または遮断するために有用なサングラスが長く商業的に入手可能であったにもかかわらず、これと同等のコンタクトレンズは、広く入手可能になってはいない。しかしながら、当技術分野において、光吸収性または光反射性の材料の、中実の領域またはぼかして色づけされた領域（solid or graded area）を備えたコンタクトレンズを提供して、レンズ着用者の眼にＵＶ光線が入るのを減少させるか、または遮断することは知られている。光吸収性材料の中実の帯域は、レンズ着用者がレンズを通して見るときに、視野内の中実の構造物または妨害物が目に入ることがあるという点で不都合である。ぼかして色づけされた帯域は、グラデーションが光の散乱を生じさせ、質が下がったイメージが網膜に到達することになる場合があるという点で、非常に不都合である。
【０００３】
〔発明の詳細な説明および好ましい実施の形態〕
本発明は、ＵＶ光および青色光のいずれかまたは両方がレンズ着用者の瞳孔に入るのを実質的に遮断するコンタクトレンズ、およびそれらの製造方法を提供する。本発明の発見は、レンズ上またはレンズ内に所定の材料の複数の同心リングを提供することにより、レンズ着用者の視覚を低下させることなく、ある量の選択された波長の光が減少され得るか、あるいは実質的に除去され得ることである。
【０００４】
ある一つの実施形態において、本発明はコンタクトレンズを提供するものであり、このコンタクトレンズの少なくとも１つの表面は、中心円形領域、ならびに、少なくとも第１および第２の同心リングを有する光学ゾーンであって、この中心円形領域および第２のリングが、ＵＶ光もしくは青色光、またはその両方の透過を実質的に遮断することができる光学ゾーンを含むか、かかる光学ゾーンで本質的に構成されるか、またはかかる光学ゾーンで構成される。
【０００５】
「透過を実質的に遮断する」は、光の透過度が、約５０％未満、好ましくは約２５％未満であることを意味する。「紫外光」または「ＵＶ光」は、約１００〜約４００ｎｍの波長を有する光という意味である。「青色光」は、約４００〜約５１５ｎｍの波長を有する光という意味である。
【０００６】
図１には、本発明のある一つの実施形態であるレンズ１０が描写されている。光学ゾーン１２を有するレンズの前面すなわち凸面１１が示されている。光学ゾーン１２内には、領域１３、すなわち、レンズ１０の幾何学中心に中心が合わせられていて、光非遮断リング１４，１６，１８と光遮断リング１５，１７，１９との間で交互に並ぶ同心リングにより取り囲まれている中心円形光遮断部位がある。
【０００７】
中心円形光遮断部位および光遮断リングを含んでいる光学ゾーン内の領域は、光学ゾーンと同じサイズであってもよく、典型的なコンタクトレンズの場合には、光学ゾーンは、直径が約９ｍｍ以下である。好ましくは、この領域は、直径が２ｍｍ以下である。中心円形領域自体の直径は、約０．３〜約１ｍｍである。いくつの光遮断リングが、中心光遮断領域を取り囲んでいてもよく、リングの数およびそれらの幅は、より大きな直径はより多くの光遮断リングの使用を可能にするというように、光遮断領域およびリングを含んでいる光学ゾーンの部分の直径に依存するであろう。好ましくは、光遮断リングおよび光非遮断リングのそれぞれの幅は、約０．１ｍｍ〜約０．２５ｍｍである。これらのリングのそれぞれは、１つまたはそれ以上の他のリングと同じ幅であってもよいし、あるいは異なる幅であってもよい。好ましくは、光遮断リングおよび光非遮断リングは、等距離の間隔があけられている。
【０００８】
中心円形光遮断領域およびこれを取り囲む同心リングは、所望の程度まで光透過率を遮断するいずれの好適な材料から構成されてもよい。ある一つの実施形態では、中心円形領域および光遮断リングは、中実の着色されたあるいは淡く色付けされた領域（solid colored, or tinted, areas）である。代替の実施形態では、中心円形領域およびリングは、所望の光透過率遮断を提供するように、サイズ決めされ、間隔があけられた不透明な点で構成されている。約５０％未満の光の透過度のためには、直径が約０．１ｍｍで、約０．０２９ｍｍの間隔があけられた不透明な点が使用され得る。約３５％未満の透過率のためには、同様の点では、約０．０１３ｍｍの間隔があけられる。
【０００９】
好適な着色料は、限定されるものではないが、アクリルオキシまたはメタクリルオキシ置換された２，４−ジヒドロキシベンゾフェノニック化合物（2,4-dihydroxybenzophenonic compounds）といった重合可能な着色料、ならびに、２，２’，４，４’−テトラヒドロキシベンゾフェノン（2,2', 4, 4'-tetrhyroxybenzophenone）および２，２’−ヒドロキシ−４，４’−ジメトキシベンゾフェノン（2,2'-dihyroxy-4,4'-dimethoxybenzophenone）といった重合不可能な着色料を含む。追加の着色料としては、限定されるものではないが、４−［（２，４−ジメチルフェニル）アゾ］−２，４−ジヒドロ−５−メチル−２−フェニル−３Ｈ−ピラゾール−３−オン、１，４−ビス［（４−メチルフェニル）アミノ］−９，１０−アントラセンジオン、および、１，ヒドロキシル−４−［（４−メチルフェニル）アミノ］−９，１０−アントラセンジオンを含む。
【００１０】
さらなる他の代替案として、反応性色素が使用されてもよい。好適なこのような色素は、限定されるものではないが、ベンゼンスルホン酸、４−（４，５−duhyro−４−（（２−メトキシ−５−メチル−４−（（２−（スルホオキシ）エチル）スルホニル）フェニル  １）アゾ−３−メチル−５−オキソ−１Ｈ−オラゾール−１−イル、［２−ナフタレンスルホン酸，７−（アセチルアミノ）−４−ヒドロキシル−３−（（４−スルホオキシエチル）スルホニル）フェニル）アゾ］（[2-mephtahlenesufonic acid, 7-(acetylamino)-4-hydroxyl-3-((4- sulfooxyethyl)sulfonyl)phenyl)azo]）、｛５−（（４，６−ジクロロ−１，３，５−トリアジン−２−イル）アミノ−４−ヒドロキシ−３−（（１−スルホン−２−ネフタール  エニル＿アゾ−２，７−ナフタレン−ジスルホン酸，三ナトリウム塩］（{5-((4,6-dichloro- 1,3,5,-triazin-2-yl)amino-4- hydroxy-3-((1 -sulfon-2-nephthal enyl_azo-2,7-naphtahlene-disulfonic acid, trisodium salt]）、銅、２９Ｈ，３１Ｈ−フタロシアニネート（２−）−Ｎ２９，Ｎ３０，Ｎ３１，Ｎ３２）−スルホ（（４−（（２−スルホオキシ）エチル）スルホニル）フェニル）アミノ）スルホニル誘導体（29H, 31H-phthalocyaninato(2-)-N29,N30,N31,N32)-sulfo((4- ((2-sulfooxy)ethyl)sufonyl)phenyl)amino)sulfonyl derivative）、［２，７−ナフタレンスルホン酸，４−アミノ−５−ヒドロキシ−３，６−ビス（（４−（（２−（スルホオキシ）エチル）スルホニル）フェニル）アゾ）四ナトリウム塩、およびこれらの組合せを含む。
【００１１】
さらなる他の代替案は、コンタクトレンズにおける使用のために好適な有機顔料または無機顔料、またはそのような顔料の組み合わせに向けられている。例示的な有機顔料は、限定されるものではないが、フタロシアニンブルー（pthalocyanine blue）、フタロシアニングリーン、カルバゾールバイオレット、バットオレンジ＃１など、およびこれらの組み合わせを含む。有用な無機顔料の例は、限定されるものではないが、酸化鉄ブラック、酸化鉄ブラウン、酸化鉄イエロー、酸化鉄レッド、二酸化チタンなど、およびこれらの組み合わせを含む。これらの顔料に加えて、可溶または不溶の色素が使用されてもよく、これらの色素としては、限定されるものではないが、ジクロロトリアジン系およびビニルスルホン系の色素を含む。有用な色素および顔料は、商業的に入手可能である。
【００１２】
選択された色素または顔料は、本発明のレンズで使用される透明および不透明の層を生成するために使用される着色料を形成するために、１種またはそれ以上のプレポリマーまたは結合性ポリマー、および溶媒と組み合されてもよい。コンタクトレンズ着色料に有用な他の添加剤が使用されてもよい。本発明の着色層に有用な結合性ポリマー、溶媒、および他の添加剤は既知であり、商業的に入手可能であるか、またはそれらを作製するための方法が既知である。
【００１３】
他の実施形態において、ＵＶ遮断を提供する中心円形領域および光遮断リングは、フォトクロミック化合物または成分から形成されてもよく、そのような化合物および成分はよく知られている。フォトクロミック材料は、限定されるものではないが、以下の分類の材料を含む、すなわち、クロメン類、例えば、ナフトピラン（naphthopyrans）、ベンゾピラン、インデノナフトピラン（indenonaphthopyrans）、およびフェナントロピラン（phenanthropyrans）；スピロピラン類、例えば、スピロ（ベンズインドリン）ナフトピラン、スピロ（インドリン）ベンゾピラン、スピロ（インドリン）ナフトピラン、スピロ（インドリン）キノピラン（spiro (indoline) quinopyrans）、およびスピロ（インドリン）ピラン；オキサジン類、例えば、スピロ（インドリン）ナフトオキサジン、スピロ（インドリン）ピリドベンゾオキサジン、スピロ（ベンズインドリン）ピリドベンゾオキサジン、スピロ（ベンズインドリン）ナフトオキサジン、およびスピロ（インドリン）ベンゾオキサジン；水銀ジチゾネート類（mercury dithizonates）、フルギド類（fulgides）、フルギミド類（fulgimides）、ならびにそのようなフォトクロミック化合物の混合物を含む。
【００１４】
追加の好適なフォトクロミック材料としては、限定されるものではないが、有機金属ジチオゾネート類（organo-metal dithiozonates）、例えば、（アリールアゾ）−チオフォルミックアリールヒドラジデート（(arylazo)-thioformic arylhydrazidates）（例、水銀ジチオゾネート）；ならびに、フルギド類およびフルギミド類、ナフトオキサジン類、スピロベンゾピラン類；重合可能なスピロベンゾピラン類およびスピロベンゾピラン類；重合可能なフルギド類；重合可能なナフタセンジオン類（naphthacenediones）；重合可能なスピロオキサジン類；および重合可能なポリアルコキシレート化ナフトピラン類（polyalkoxylated napthopyrans）を含む。フォトクロミック材料は、単独で用いられてもよく、あるいは、１種またはそれ以上の他の適当で相補的なフォトクロミック材料と組み合わせて用いられてもよい。
【００１５】
さらなる他の有用なフォトクロミック材料は、インデノ［２’，３’：３，４］ナフト［１，２−ｂ］ピランおよびインデノ［１’，２’：４，３］ナフト［２，１−ｂ］ピランから選択されるインデノ融合ナフトピラン（indeno-fused naphthopyran）を含み、
ここで、
インデノ融合ナフトピランの１３−位（13-position）は置換されていないか、一置換されているか、または二置換されており、ただし、インデノ融合ナフトピランの１３−位が二置換されている場合には置換基は一緒になってノルボルナンを形成することはなく；また、
（ii）インデノ融合ナフトピランの１１−位で結合されたパイ共役系を伸長させる基（ここで、この基は、置換型もしくは非置換型アリール、置換型もしくは非置換型ヘテロアリール、または−Ｘ＝Ｙもしくは
2009543137.tif 000003
で表される基であり、ここで、Ｘ、Ｘ’、Ｙ、およびＹ’は、本明細書中の以下に記述され、請求項において後述されるとおりである）、またはインデノ融合ナフトピランの１２−位で結合された基と一緒になって、もしくはインデノ融合ナフトピランの１０−位で結合された基と一緒になって、インデノ融合ナフトピランのパイ共役系を伸長させる基が、融合基（fused group）を形成し（ただし、この融合基がベンゾ融合基でないことを条件とする）、これらは、２００５年４月８日に出願されたOPHTHALMIC DEVICES COMPRISING PHOTOCHROMIC MATERIALS HAVING EXTENDED PI-CONJUGATED SYSTEMS AND COMPOSITIONS AND ARTICLES INCLUDING THE SAMEという名称の米国シリアル番号第１１／１０２，０４７号により詳細に開示されている。さらなる好適なフォトクロミック化合物は、反応基を有するナフトピラン類であり、例えば、２００５年４月８日に出願されたOPHTHALMIC DEVICES COMPRISING PHOTOCHROMIC MATERIALS WITH REACTIVE SUBSTITUENTSという名称の米国シリアル番号第１１／１０１，９７９号でより詳細に開示されているものがある。好適なフォトクロミック化合物の詳細で非限定的な例は、下記の式で示されるものである、すなわち、
【化１】
2009543137.tif 000004
ここで、Ｒ１からＲ１０までは、Ｈ、一置換型アルキルまたはアリール基を含んでもよく、これらは任意でＯ、Ｎ、もしくはＳのようなヘテロ原子、またはアルケニルもしくはアルキニル基を含んでいてもよく、また、１つまたはそれ以上のＲ基が、重合可能な基、例えば、メタクリレート、アクリレート、アクリルアミド、メタクリルアミド、フマレート、スチリル、Ｎ−ビニルアミド基、好ましくはメタクリレート基を含む場合には、組み合わさって融合または非融合環を形成してもよい。好適なナフトピラン化合物の詳細で非限定的な例は、以下に記述されるものを含む、すなわち、
フォトクロミック化合物Ｉ
【化２】
2009543137.tif 000005
フォトクロミック化合物II
【化３】
2009543137.tif 000006
フォトクロミック化合物III
【化４】
2009543137.tif 000007
フォトクロミック化合物IV
【化５】
2009543137.tif 000008
フォトクロミック化合物Ｖ
【化６】
2009543137.tif 000009
フォトクロミック化合物VI
【化７】
2009543137.tif 000010
フォトクロミック化合物VII
【化８】
2009543137.tif 000011
フォトクロミック化合物VIII
【化９】
2009543137.tif 000012
フォトクロミック化合物IX
【化１０】
2009543137.tif 000013
フォトクロミック化合物Ｘ
【化１１】
2009543137.tif 000014
フォトクロミック化合物XI
【化１２】
2009543137.tif 000015
フォトクロミック化合物XII
【化１３】
2009543137.tif 000016
【００１６】
使用される着色料、色素、顔料、またはフォトクロミック材料の量は、所望の、ＵＶ光遮断もしくは青色光遮断、またはその両方を達成するのに十分な量であろう。使用される特定の量は、レンズの厚みだけでなく、選択されるレンズ材料にも依存するであろう。
【００１７】
本発明は、どのような既知の材料から作製されたハードコンタクトレンズまたはソフトコンタクトレンズを提供するために使用されてもよく、あるいは、そのようなレンズを製造するために好適な材料から作製されたレンズを提供するために使用されてもよい。好ましくは、本発明のレンズは、約０〜約９０％の水含有率を有するソフトコンタクトレンズである。より好ましくは、レンズは、ヒドロキシ基もしくはカルボキシル基、またはこれら両方を含有するモノマーから作製されるか、あるいは、シロキサン、ヒドロゲル、シリコーンヒドロゲル、およびこれらの組み合わせといったシリコーン含有ポリマーから作製される。本発明のレンズを形成するために有用な材料は、マクロマー、モノマー、およびこれらの組み合わせを、重合開始剤といった添加剤と共に反応させることにより作製されてもよい。好適な材料は、限定されるものではないが、シリコーンマクロマーおよび親水性モノマーから作製されたシリコーンヒドロゲルを含む。そのようなシリコーンマクロマーの例は、限定されるものではないが、親水性側基でメタクリル化されたポリジメチルシロキサン（polydimethylsiloxane methacrylated with pendant hydrophilic groups）；重合可能な官能基を備えたポリジメチルシロキサンマクロマー、およびこれらの組み合わせを含む。これらは、親水性モノマーを取り込んだポリシロキサンマクロマー；または、ポリジメチルシロキサンブロックおよびポリエーテルブロックを含有するマクロマーを用いて作製されてもよい。
【００１８】
好適な材料は、オキシパーム（oxyperm）およびイオノパーム（ionoperm）の組み合わせから作製されてもよい。親水性モノマーは、２−ヒドロキシエチルメタクリレート（「ＨＥＭＡ」）、２−ヒドロキシエチルアクリレート、Ｎ，Ｎ−ジメチルアクリルアミド（「ＤＭＡ」）、Ｎ−ビニルピロリドン、２−ビニル−４，４’−ジメチル−２−オキサゾリン−５−オン、メタクリル酸、および２−ヒドロキシエチルメタクリルアミドを含めた、そのようなコポリマーに取り込まれてもよい。追加のシロキサンモノマーは、トリス（トリメチルシロキシ）シリルプロピルメタクリレート、またはそのシロキサンモノマーのように、取り込まれていてもよい。
【００１９】
コンタクトレンズを作製するための材料は、よく知られており、商業的に入手可能である。ある一つの限定的ではない実施形態において、使用される材料は、ＨＥＭＡ系ヒドロゲル（HEMA based hydrogel）、より好ましくはエタフィルコンＡ（etafilcon A）であり、結合性ポリマーは、ＭＡＡとＨＥＭＡとラウリルメタクリレート（「ＬＭＡ」）との直鎖状ランダムブロックコポリマー；ＭＡＡとＨＥＭＡとの直鎖状ランダムブロックコポリマー；ＨＥＭＡとＬＭＡとの直鎖状ランダムブロックコポリマー；またはＨＥＭＡホモポリマーから形成される。エタフィルコンＡは、一般的にはＨＥＭＡ１００重量部（「ｐｂｗ」）、ＭＡＡ約１．５〜約２．５ｐｂｗ、エチレングリコールジメタクリレートほぼ０．３〜約１．３ｐｂｗ、１，１，１−トリメチロールプロパントリメタクリレート約０．０５〜約１．５ｐｂｗ、および約０．０１７〜約０．０２４ｐｂｗの可視性色彩（visibility tint）の配合である。好ましくは、エタフィルコンＡは、０．４７ＭＡＡ対１００ＨＥＭＡ対４．１４ＬＭＡの比率にあるＭＡＡとＨＥＭＡとＬＭＡとの直鎖状ランダムブロックコポリマー、または、９９．９ＨＥＭＡおよび０．１ＭＡＡから９９．５ＨＥＭＡおよび０．５ＭＡＡまでの比率にあるＨＥＭＡとＭＡＡとの直鎖状ランダムブロックコポリマーと共に使用される。
【００２０】
中心円形光遮断領域およびリングは、レンズの一つまたはそれ以上の表面に適用されるか、もしくはプリントされてもよく、あるいは、レンズ形成用材料が堆積されて硬化されることになるモールドの一つまたはそれ以上の表面にプリントされてもよい。本発明のデザインを取り込んでいるレンズを形成するために好ましい方法においては、限定されるものではないが環状ポリオレフィンおよびポリオレフィンを含めた、いかなる好適な材料から作製された熱可塑性光学モールドが使用されてもよく、その環状ポリオレフィンおよびポリオレフィンとしては、例えば、ポリプロピレン、ポリスチレン樹脂、シクロオレフィンおよびエチレンに基づく非結晶性コポリマーであってTiconaから商業的に入手可能であるTOPASのようなシクロオレフィン系ポリマー、Zeon Corporationから商業的に入手可能であるZeonorのようなノルボルナン化合物（norbornene compounds）の開環複分解重合後に水素付加して作製されるポリマー、ガラス、金属、または石英といったものがある。光遮断領域およびリングは、モールドの鋳造用表面の所望の部分上に堆積される。「鋳造用表面」とは、レンズの表面を形成するために使用されるモールドまたはモールドハーフの表面を意味している。この堆積は、スプレー、パッドプリント、タンポプリント（tampo printing）、ブラッシング、またはスタンピングにより行われ得る。好ましくは、堆積は、以下のようにパッドプリントにより行われる。
【００２１】
好ましくは鋼から、より好ましくはステンレス鋼から作製された金属プレートが、ひとたび硬化されると水不溶性になることができるフォトレジスト材料で被覆される。中心光遮断領域およびリングが設計され、そして、写真技術のような多数の技術のうちのいずれかを用いて所望のサイズまで縮小され、金属プレートの上に配置され、フォトレジスト材料が硬化される。
【００２２】
引き続き、このプレートは水溶液で洗浄され、結果として得られるイメージが、好適な深さ、例えば約２０μｍになるまでプレートにエッチングされる。その後、結合性ポリマー、溶媒、および顔料または色素を含む着色料が、着色料で凹部を充たすように、これらの要素の上に堆積される。この表面に対してプリントするのに使用するために幾何学的に好適で、硬度が概ね約１〜約１０に変化するシリコンパッドが、このプレート上のイメージに対してプレスされて着色料が除去され、そして、溶媒を蒸発させることにより着色料が僅かに乾燥される。そして、このパッドが光学モールドの鋳造用表面に対してプレスされる。モールドは１２時間までの間、脱ガスされ、過剰な溶媒および酸素が除去され、その後で、モールドがレンズ材料で充たされる。そして、相補的なモールドハーフが使用され、モールド組立体が完成され、このモールド組立体は、使用されたレンズ材料を硬化するために好適な条件に晒される。そのような条件は、当技術分野においてはよく知られており、選択されたレンズ材料に依存するであろう。ひとたび硬化が完了すると、レンズがモールドから離型され、緩衝化された塩水中で平衡化される。
【００２３】
好ましい実施形態においては、清浄なプレポリマー層が使用されるが、このプレポリマー層とは、少なくとも中心円形光遮断領域および光遮断リング上に重なり、好ましくは、レンズの最も外側の表面の全体を形成するものである。
【００２４】
〔実施の態様〕
（１）コンタクトレンズにおいて、
中心円形領域、ならびに前記中心円形領域の周りに位置する少なくとも第１および第２の同心リングを有する光学ゾーン、
を具備し、
前記中心円形領域および第２のリングは、ＵＶ光もしくは青色光、またはこの両方の透過を実質的に遮断することができる、レンズ。
（２）実施態様（１）に記載のレンズにおいて、
第３、第４、第５、および第６の同心リング、
をさらに具備し、
前記第４および第６のリングは、ＵＶ光もしくは青色光、またはこの両方の透過を実質的に遮断することができる、レンズ。
（３）実施態様（１）に記載のレンズにおいて、
前記中心円形領域は、前記レンズの幾何学中心に中心が合わせられており、約０．３〜約１ｍｍの直径を有する、レンズ。
（４）実施態様（２）に記載のレンズにおいて、
前記中心円形領域は、前記レンズの幾何学中心に中心が合わせられており、約０．３〜約１ｍｍの直径を有する、レンズ。
（５）実施態様（１）に記載のレンズにおいて、
前記リングのそれぞれの幅は、約０．１ｍｍ〜約０．２５ｍｍである、レンズ。
（６）実施態様（２）に記載のレンズにおいて、
前記リングのそれぞれの幅は、約０．１ｍｍ〜約０．２５ｍｍである、レンズ。
（７）実施態様（３）に記載のレンズにおいて、
前記リングのそれぞれの幅は、約０．１ｍｍ〜約０．２５ｍｍである、レンズ。
（８）実施態様（４）に記載のレンズにおいて、
前記リングのそれぞれの幅は、約０．１ｍｍ〜約０．２５ｍｍである、レンズ。
（９）実施態様（１）に記載のレンズにおいて、
前記中心円形領域、および前記光遮断リングは、中実の着色された領域（solid colored areas）を含んでいる、レンズ。
（１０）実施態様（１）に記載のレンズにおいて、
前記中心円形領域およびリングは、不透明な点を含んでいる、レンズ。
（１１）実施態様（１０）に記載のレンズにおいて、
前記点は、約０．１ｍｍの直径を有しており、約０．０２９ｍｍの間隔があけられている、レンズ。
（１２）光遮断コンタクトレンズを提供するための方法において、
中心円形領域、および前記中心円形領域の周りに位置する少なくとも第１および第２の同心リングを含む光学ゾーンを有するコンタクトレンズを提供するステップ、
を含み、
前記中心円形領域および第２のリングは、ＵＶ光もしくは青色光、またはその両方の透過を実質的に遮断することができる、方法。
【図面の簡単な説明】
【００２５】
【図１】図１は、本発明のレンズを描写するものである。
【図１】
2009543137.tif 000017
【国際調査報告】
2009543137.tif 000018
2009543137.tif 000019